(57)【要約】【課題】  お年寄りでも容易に使用できる電動背中洗浄器具を提供する。【解決手段】  同軸で構成するアウターブラシとインナーブラシが電動によりそれぞれ反転することで、ブラシが回転する時に回転円周方向に働く力をそれぞれ打ち消す構造を持ち、且つ、ブラシ回転部位をアーチ形にした湾曲形棒の先端に取り付け、もう一端に把手部を設けることで把手部を握る力が弱く腕を上げにくいお年寄りでもブラシ回転部位を背中の中央付近に届かせて洗浄できることを特徴とする電動背中洗浄器具。【選択図】図１
2014133072.tif 000002
【特許請求の範囲】
【請求項１】
湾曲形棒の先端にケースを設けるとともに、湾曲形棒の末端には把手部を設け、ケースに設けられ同軸芯で互いに反対方向に回転するアウターブラシ及びインナーブラシと、前記ケースの内部に設けられ前記アウターブラシ及びインナーブラシを回転させる駆動部を備え、把手部の適所に設けられ前記駆動部の動作を制御するスイッチの操作によりアウターブラシ及びインナーブラシのそれぞれが反転動作する手段を備えた事を特徴とする電動背中洗浄器具。
【発明の詳細な説明】
【技術分野】
【０００１】  本発明は、電動で背中を洗浄する器具に関するものである。
【背景技術】
【０００２】  従来、背中を洗うブラシは棒状器具の先端にブラシが取り付き手動で背中を洗浄するものが広く用いられている。又、例えば、特許文献１に記載の背中洗い器具は、湾曲形棒先端に電動で回転するブラシが取り付いており、ブラシの回転により背中を洗浄する方法が考案されている。
【先行技術文献】
【特許文献】
【０００３】
【特許文献１】  特開２０１０−２４６８６８号公報
【発明の概要】
【発明が解決しようとする課題】
【０００４】  しかしながら、このような従来の手動で背中を洗浄するブラシ器具は、背中の中央部をブラシで洗浄する際に器具を握った腕の肘を胸元より上にあげなければならず、腕を上げる事が困難なお年寄りなどは十分活用できないといった課題があった。【０００５】  また、電動でブラシを回転させて洗浄する器具の場合、回転する円形のブラシを背中に当てて使用する為、ブラシの回転に伴いブラシの回転円周方向に発生する力によりブラシが取り付いている棒状器具が動かされる為、棒状器具をしっかりと握って使用しなければならず、器具を握る力の弱いお年寄りなどはうまく利用できないといった課題があった。
【課題を解決するための手段】
【０００６】  以上の課題を解決するために、請求項１の発明は、湾曲形棒５の先端にケース１５を設け、ケース１５に収納されたモータ４とモータ４の出力軸に取り付いたウォーム歯車８と、ウォーム歯車８の回転をモータ４の軸直角方向に回転を変換するウォームホイール９と、シャフト１に回転可能に取り付いた中間歯車１０及びシャフト１７に回転可能に取り付いた反転歯車１１及びケース１５に対して回転可能な下部歯車３及び上部歯車２からなる反転機構と、上部歯車２とインナーブラシ７とを結合するメインシャフト１８及び下部歯車３と結合されるアウターブラシ６を備え、把手部１６の適所に設けられたボタン１３を押すことにより、スイッチ１２が作動し、電流がモータ４に流れ動作することによりアウターブラシ６及びインナーブラシ７が反転動作する手段を備えたことを特徴とする電動背中洗浄器具を提供するものである。
【発明の効果】
【０００７】  以上に説明した如く、湾曲形棒本体の先端に設けられたケースに同軸に配置されたアウターブラシとインナーブラシがそれぞれ反転して回転することによりブラシの円周方向に働く力がそれぞれ反対方向に働き力が相殺されることで、ブラシの回転によりブラシが設けられているケース及び湾曲形棒や把手部が動かされないことから、力の弱いお年寄りでも把手部を握って使用することが可能となる。又、湾曲形棒の形はアーチ形状をしていることから、把手部を握った手の肘を胸元付近まで上げた状態でも、ブラシが背中の中央部にも十分当たる為、腕を上げることが困難なお年寄でも容易に使用できる。
【図面の簡単な説明】
【０００８】
【図１】  図１は、この発明の一実施形態を示した説明図である。（実施例１）
【発明を実施するための形態】
【０００９】  この発明の実施形態は、湾曲形棒５の先端にケース１５を設け、ケース１５に収納されたモータ４とモータ４の出力軸に取り付いたウォーム歯車８と、ウォーム歯車８の回転をモータ４の軸直角方向に回転を変換するウォームホイール９と、シャフト１に回転可能に取り付いた中間歯車１０及びシャフト１７に回転可能に取り付いた反転歯車１１及びケース１５に対して回転可能な下部歯車３及び上部歯車２からなる反転機構と、上部歯車２とインナーブラシ７とを結合するメインシャフト１８及び下部歯車３と結合されるアウターブラシ６を備え、把手部１６の適所に設けられたボタン１３を押すことにより、スイッチ１２が作動し、電流がモータ４に流れ動作することによりアウターブラシ６及びインナーブラシ７がそれぞれ反転動作する手段を備えたことを特徴とする電動背中洗浄器具である。
【実施例】
【００１０】  図１は、本発明装置の実施例１の構造図である。【００１１】  以下、図面を参照しながら本発明の好適な実施の形態例について詳細に説明する。【００１２】  図１において、スイッチ１２及びボタン１３は把手部１６の適所に配置され、ボタン１３の押圧動作によりスイッチ１２が作動する。又、モータ４とスイッチ１２は湾曲形棒５内部を通り導体のリード線等で接続される。電池１４は把手部１６の適所に配置され、接点１９を介してスイッチ１２とモータ４に導体のリード線等でそれぞれ接続されることで、スイッチ１２の作動により電流がモータ４に流れ、モータ４が回転する。【００１３】  また、モータ４の軸にウォーム歯車８が取り付けられており、ウォームホイール９を介して減速及びモータ軸直角方向に回転動力を伝える機構である。ウォームホイール９は中間歯車１０と結合されており且つシャフト１に対して回転可能となっている。また、中間歯車１０は、上部歯車２と歯が噛み合っており回転動力を伝達する。この、モータ軸直角方向に回転動力を伝える機構は、ウォームとウォームホイールの組合せ以外にもプーリとベルトや、かさ歯車等、中間歯車１０に回転動力が伝わるものであればこれに限定されない。上部歯車２はメインシャフト１８を介してインナーブラシ７と結合されており、インナーブラシ７はアウターブラシと同軸で、且つ、ケースに対して回転可能なように配置されている。これによりモータ４の軸の回転によりウォーム歯車８が回転してウォームホイール９を介し結合された中間歯車９に動力を伝達する。中間歯車１０は上部歯車２と噛み合っている為、上部歯車２に動力が伝達され、上部歯車２と結合されたシャフト１７を介してインナーブラシ７が回転する。【００１４】  さらに、反転歯車１１は中間歯車１０と噛み合っており、且つ、シャフト１７に対して回転可能となっている。また、反転歯車１１は、下部歯車３と噛み合っており回転動力を伝達する。下部歯車３はアウターブラシ６と結合されており、インナーブラシ７と同軸で且つケース１５に対して回転可能なように配置されている。これによりモータ４の軸の回転によりウォーム歯車８が回転してウォームホイール９を介し結合された中間歯車９に動力を伝達する。中間歯車１０は反転歯車１１を介し、下部歯車２に動力を伝達されることで下部歯車３と結合されたアウターブラシ６が回転する。この時、反転歯車１１を介している為、アウターブラシ６はインナーブラシ７に対して反転動作をする。【００１５】  また、湾曲形棒５はアーチ形をしており内部は中空構造となっており、先端にケース１５が固定され、もう一端には把手部１６が固定されている。これにより把手部１６を握りケース１５を背中に当てた時、湾曲形棒のアーチ構造により把手部１６を握った手の肘を胸元付近まで上げた状態でも、ケース１５に設けられたブラシ６及びブラシ７が背中の中央部にも十分当たる機能を持つ。
【産業上の利用可能性】
【００１６】  以上に説明した如く、本発明の電動背中洗浄器具を使用することにより、腕が上げにくく力の弱いお年寄りでも容易に背中を洗浄することができる
【符号の説明】
【００１７】１，１７…  シャフト
２…  上部歯車
３…  下部歯車
４…  モータ
５…  湾曲形棒
６…  アウターブラシ
７…  インナーブラシ
８…  ウォーム歯車
９…  ウォームホイール
１０…  中間歯車
１１…  反転歯車
１２…  スイッチ
１３…  ボタン
１４…  電池
１５…  ケース
１６…  把手部
１８…  メインシャフト
１９…  接点
【図１】
2014133072.tif 000003